(57)【要約】【目的】ボールをつないだチェーン内に十分強力な磁石を内包可能であり、健康器具のイメージを脱して宝飾品としても通用する磁石入りボールチェーンを提供する。【構成】芯金１４によりボール部２０をつないで鎖状に形成されるボールチェーンである。ボール部２０を係止する係止突部１１、１２を有し、かつ係止突部１１、１２で分離可能に一体化した状態にあった芯金１４と、芯金１４とともにパイプ内に配置される磁石１５と、芯金１４を磁石１５とともに通した状態で塑性加工可能なパイプ１７とを具備し、パイプ１７に対する塑性加工により所望のボール形状を成形するとともに各個切り離し、ボール部毎に芯金１４でつながれた状態になっている。【選択図】　　　　図３
2004073499.tif 000002
【特許請求の範囲】
【請求項１】
芯金によりボール部を鎖状につないで形成されるボールチェーンであって、ボール部を係止する係止突部を有し、かつ係止突部で分離可能に一体化した状態にある芯金と、芯金とともにボール部内に配置される磁石と、磁石とともに芯金を通しかつその状態で塑性加工可能なパイプとを具備し、パイプの塑性加工により所望のボール形状を成形するとともに、各個切り離しボール部毎に芯金でつながれた状態とした磁石入りボールチェーン。
【請求項２】
芯金を通すリング状に形成され、かつ芯金の係止突部に分離可能に固定される磁石を有し、芯金は所定間隔で設けられている係止突部を両端に有するものを最小単位として、最小単位毎に切り離し可能になっており、係止突部がボール部の内側に係止してボール部に対してスライド可能な状態につながれ、いずれかのボール部の内部に磁石が配置された構成を有している請求項１記載の磁石入りボールチェーン。
【請求項３】
ボール部はラグビーボール状に夫々形成されていて、所定間隔で設けられている係止突部を両端に有する最小単位の芯金を任意の数毎に切り離し、切り離し部間に磁石を配置し、磁石と芯金又は複数個の芯金を内包するように設定され、また磁石は柱状に形成されている請求項１記載の磁石入りボールチェーン。
【発明の詳細な説明】
【０００１】
【発明の属する技術分野】
本発明は、芯金によりボール部を鎖状につないで形成されるボールチェーンに関するものである。
【０００２】
【従来の技術】
磁石を内蔵し、磁気ネックレスや磁気ブレスレット等として使用可能なものは従来から市販されており様々な種類がある。磁気粉でなく、磁石を使用するものには、カプセル内に磁石を封入してその外部に継ぎ手を取り付け、チェーンとしたものがある。しかし、このような構造を持つものは、磁石内蔵のカプセルの形態が特異なため、それらをつなぐ部品類との調和を取りにくく、いかにも健康器具のような機能優先的なイメージとなる傾向がある。のみならず磁石を封入するカプセルを作るために手間も時間もかかり、製造上の効率が非常に良くないという点も問題であった。
【０００３】
【発明が解決しようとする課題】
本発明は前記の点に着目してなされたもので、その課題はボールをつないだチェーン内に十分強力な磁石を内包可能であり、健康器具のイメージを脱して、宝飾品としても通用する磁石入りボールチェーンを提供することにある。また本発明の他の課題は効率良く製造することが可能であり、かつ磁石入りボールチェーンのコストを低減可能とすることである。
【０００４】
【課題を解決するための手段】
前記の課題を解決するため本発明はボール部を係止する係止突部を有し、かつ係止突部で分離可能に一体化した状態にある芯金と、芯金とともにボール部内に配置される磁石と、磁石とともに芯金を通しかつその状態で塑性加工可能なパイプとを具備し、パイプの塑性加工により所望のボール形状を成形するとともに、各個切り離しボール部毎に芯金でつながれた状態とした磁石入りボールチェーンを提供するものである。
【０００５】
【発明の実施の形態】
本発明に係る磁石入りボールチェーンは、芯金によりボール部を鎖状につないで形成されるボールチェーンの１種である。
【０００６】
ボールチェーンは、ボール部を係止する係止突部を多数所定間隔毎に有し、かつ係止突部で分離可能に一体化した状態にある軸状の芯金と、芯金を通した状態で塑性加工可能なパイプを具備し、パイプの塑性加工により所望のボール形状に成形することともに各個切り離し、ボール部毎に芯金でつながれた構成を取る。つまり、金属パイプなどを素材としてボール形状のチェーン素子を型成形し、個々のチェーン素子等は予めパイプ内に通された芯金によりつながれチェーンを構成するものである。
【０００７】
このようなボールチェーン自体は、工業用品として、或いは雑貨としても存在しており、その塑性加工技術を応用することができるが、問題はどのようにして磁石の小片をボール部の中に配置するかという点にある。また磁石１個の磁力には磁気強度上限界があり、弱いものから強いものまでバリエーションを拡げるためにも磁石のボール部内への配置法をどうするのかは問題となる。
【０００８】
そこで、本発明では、磁石として芯金を通すリング状を有するもの、或いは芯金を切り離してその間に配置する柱状を有するものを適用し、この磁石を芯金の係止突部に分離可能に固定する構成を取る。リング状の磁石は、完全に閉じていなくても例えばＵ字状その他のものでも良いことは自明であろう。
【０００９】
芯金の係止突部は、ボール部の内側に配置される部分であり、それゆえ軸部よりも大径になっており、この係止突部に磁石が、例えば嵌合や接着等によって、塑性加工段階まで分離可能に固定しておかれる。このため磁石は、一対の係止突部のどちらかに固定されていれば良い。
【００１０】
芯金は、軸材に所定間隔で上記の係止突部を一対ずつ形成した構成を有し、一対の係止突部間は曲げ応力を加えると切り離される切離部となっている。故に、芯金を最小単位毎に切り離したときに、係止突部がボール部の内側に係止してボール部に対してスライド可能な状態につながれ、かついずれかのボール部の内部に磁石が配置されることとなる（図３、図４参照）。しかし、芯金を最小単位毎に切り離すようにすることは必須条件ではなく、芯金を最小単位の複数個毎に切り離すようにも設定することができる（図５、図６参照）。その場合、磁石としてより大きい（長い）ものをボール部内に配置できることとなり、またボール部自体も細長く成形することができる。
【００１１】
芯金は一般的には金属が適している。しかしボールチェーンの目的、用途によっては金属以外のもの、例えばプラスチック製の成形された芯材を含み得る。
【００１２】
さらに芯材でつながれた状態となったボールチェーンのボール部に例えば適当な切削加工等により装飾を施すことができる。勿論、めっき処理を施すことも可能である。磁石にはボールチェーン完成後に着磁工程を行なって磁気を帯びさせることが望ましい。従って磁石は着磁前の段階では磁気を帯びていない強磁性体で良い。
【００１３】
【実施例】
以下図示の実施例により、本発明をより詳細に説明する。図１は本発明に係る磁石入りボールチェーン１０によりネックレスを形成した場合の１例であり、このものは図２、図３、図４のような構造を有する。
【００１４】
図２は、一対の係止突部１１、１２を両端に有し、かつ一対の係止突部間が切り離し可能な切離部１３となっている黄銅製の軸状の芯金１４と、芯金１４を内部に通すことができる短筒状を有する磁石１５と、磁石１５を芯金１４に固定（接着を符号１６で示す。）した状態で、銀製のパイプ１７に挿通した状態を示している。芯金１４の係止突部１１、１２間の間隔つまり芯金の最小単位長は任意に決められるが、長過ぎるとボール部が間伸びし、短か過ぎるとチェーンが曲がり難くなるので、これらの事項及び成形するボール部２０の外形を考慮に入れて決定する。磁石１５は全てのボール部２０に配置しても良いし、何個置きかに配置しても良い。
【００１５】
図２のように芯金１４と磁石１５の配置が決められているパイプ１７を金型装置にセットし、開閉可能な一対の金型１８、１９によってパイプ１７に塑性加工が施されるようにする。一対の金型１８、１９は、パイプ１７から球形のボール部２０を段階を追って型成形するために必要な形状変化Ａ、Ｂ、Ｃ、Ｄ、Ｅ、Ｆを有しており、型開き時にパイプ１７を例えば９０度ずつ３６０度回転させて１工程を終え、次の工程に移動して同様の加工を繰り返し、Ｆ工程を終了するときに、金型の刃Ｇの部分でボール部１個毎に絞り切られて分離される。但し、芯材１４の軸径以上の寸法で切られるのはいうまでもないことである。
【００１６】
金型から出て来たボール部２０を曲げると、芯金１４の切離部１３が折れて切り離され、ボール部２０とボール部２０が離れ芯金１４でつながれたボールチェーン１０となる。図３のＸ部は磁石１５と芯金１４との接着が取れず、芯金１４の切離部１３がついたままの状態を示しており、このような状態は望ましくないので図４に示したように完全に分離させる。そのために溶剤に浸漬して接着剤を除去することもある。
【００１７】
最後に着脱用金具を有する継ぎ手３０が付けられ、磁石に着磁が行われ、ボールチェーン１０が完成する。また、ボール部２０に対する切削加工やメッキ作業等もボールチェーン１０の完成後に実施することができる。
【００１８】
図５、図６、図７は本発明の実施例２を示すものであり、所定間隔毎に設けられている係止突部１１、１２を両端に有する芯金１４は、磁石２１とともに、又は複数個ずつボール部内に内包される設定である。磁石２１は実施例１のものよりもやや長い柱状に形成されており、丁度、最小単位の芯金１４と同程度の長さを有する。図６、図７の例では芯金１４を任意の数毎に切り離してそこに磁石２１を配置し、これを金型２３、２４により成形する。従って実施例２では、少なくとも芯金３個分に係る長さのボール部２２が必要となり、ボール部２２の形状はいわばラグビーボール状或いはマクワウリ状のような紡錘型の外形となる（図７）。磁石２１は、必要なボール部２２にのみ配置し全部に配置する必要のない点、実施例１のものと同様である。
【００１９】
実施例２の場合も、実施例１の場合と同様に必要な形状変化Ｈ、Ｉ、Ｋ、Ｌ、Ｍを有する一対の開閉可能な金型２３、２４により段階を追って型成形される。なお、実施例１では球形、実施例２では紡錘型のボール部２０、２２について説明したが、ボール部形状がこれらに限らないことはいうまでもない。例えばソロバン玉型やシリンダー型、ヒョウタン型なども実施可能である。このように本発明のボールチェーン１０では、磁石１５、２１の入っている箇所がみたところ分からず、自由な造形が可能であり、従来の磁石内蔵カプセルのようにデザイン処理と無縁な外形を持たないので、付加価値を高めることができる。
【００２０】
【発明の効果】
本発明は以上の如く構成されかつ作用するものであるから、従来のカプセルよりも小さいボールをつないだチェーン内に十分強力な磁石を内包可能であり、健康器具のイメージを抱かせない、宝飾品として通用する磁石入りボールチェーンを、効率良く、より低コストで提供することができるという効果を奏する。
【図面の簡単な説明】
【図１】本発明に係る磁石入りボールチェーンの実施例１に関する外観図。
【図２】パイプ内に、磁石を固定した芯材を配置した状態の断面図。
【図３】図２のものに対する塑性加工を示す断面図。
【図４】同じくボールを切り離した状態を示す断面図。
【図５】本発明の実施例２を示す、図１と同様の外観図。
【図６】実施例２に関する図２と同様の断面図。
【図７】図６のものに対する塑性加工を示す断面図。
【符号の説明】
１０　磁石入りボールチェーン
１１、１２　係止突部
１４　芯金
１５、２１　磁石
１７　パイプ
１８、１９、２３、２４　開閉可能な一対の金型
２０、２２　ボール部
【図１】
2004073499.tif 000003
【図２】
2004073499.tif 000004
【図３】
2004073499.tif 000005
【図４】
2004073499.tif 000006
【図５】
2004073499.tif 000007
【図６】
2004073499.tif 000008
【図７】
2004073499.tif 000009